(57)【要約】【課題】  設備をコンパクト化でき、また、コーヒーの香味を向上させることのできるコーヒー抽出用布製フィルターを提供する。【解決手段】  半球又はそれに類似する形状の袋状に形成されたコーヒー抽出用の布製フィルター１の下部１Ｂに、コーヒー抽出時にフィルター１から滲出した抽出液を最下端位置に誘導案内させて流下又は滴下させるための突起部１Ｃを、フィルター１の一部を突出させるように縫製して形成する。【選択図】        図１
2006192061.tif 000002
【特許請求の範囲】
【請求項１】
半球又はそれに類似する形状の袋状に形成されたコーヒー抽出用の布製フィルターの下部に、コーヒー抽出時にフィルターから滲出した抽出液を最下端位置に誘導案内させて流下又は滴下させるための突起部を、フィルターの一部を突出させるように縫製して形成しているコーヒー抽出用布製フィルター。
【請求項２】
前記突起部が、フィルターの一部を積層した状態でそれの周縁を縫製して形成されているとともに、
前記フィルター下部と突起部との境界箇所が、フィルター内のコーヒー粉の突起部への侵入を阻止する状態に縫製されている請求項１記載のコーヒー抽出用布製フィルター。
【請求項３】
前記フィルターが、それの周方向で複数に分割された布地片から構成されているとともに、
各布地片の下部には、前記突起部を形成するための垂部が形成されている請求項１又は２記載のコーヒー抽出用布製フィルター。
【請求項４】
前記フィルターにおける複数の布地片どうしの縫合部に、フィルターから滲出した抽出液を前記突起部に導くための中空状の通路が形成されている請求項３記載のコーヒー抽出用布製フィルター。
【請求項５】
前記フィルターの開口における最大径が、フィルターの最大径よりも小となるように形成されている請求項１〜４のいずれか１項に記載のコーヒー抽出用布製フィルター。
【請求項６】
前記フィルターに、取り外し又は切断分離可能な複数の表示体を備えた抽出回数管理手段が設けられている請求項１〜５のいずれか１項に記載のコーヒー抽出用布製フィルター。
【請求項７】
前記フィルターに、フィルターホルダーの輪状装着部に対して巻き付け装着するときの巻き付け代を表示する装着代表示手段が設けられている請求項１〜６のいずれか１項に記載のコーヒー抽出用布製フィルター。
【請求項８】
前記請求項１〜７のいずれか１項に記載のコーヒー抽出用布製フィルターの製作方法であって、
前記フィルターから滲出した抽出液を最下端位置に誘導案内させて流下又は滴下させるための突起部を形成するために、下部に垂部が形成されている複数枚の布地片を半球又はそれに類似する形状の袋状に縫製する工程において、
隣接する両布地片の重合部分を、フィルターの外面輪郭線に沿う開口縁部から垂部の先端部分までに至る外側縫合線と、フィルターの収納空間を区画形成する境界線に沿う外側縫合線よりも内方に変位した位置を開口縁部から垂部の基端部分までに至る内側縫合線とに沿って縫合することにより、外側縫合線と内側縫合線との間に、フィルターから滲出した抽出液を突起部に導くための中空状の通路を形成するコーヒー抽出用布製フィルターの製作方法。
【請求項９】
前記外側縫合線に沿っての第１縫製工程には、開口縁部から垂部の先端部分まで縫い抜け縫合する工程が備えられているとともに、
前記内側縫合線に沿っての第２縫製工程には、一方の内側縫合線の開口縁部から垂部の基端部分を通過して他方の内側縫合線の開口縁部にまで連続的に縫合する工程が備えられている請求項８記載のコーヒー抽出用布製フィルターの製作方法。
【請求項１０】
前記外側縫合線に沿っての第１縫製工程では、両布地片の表面どうしを重ね合わせた重合部分をそれの外縁から設定縫い代を空けた状態でフィルターの外面輪郭線に沿って開口縁部から垂部の先端部分まで縫合し、
前記内側縫合線に沿っての第２縫製工程では、前記第１縫製工程で縫合された両布地片をそれの表面が外面側となる状態に裏返した後、設定縫い代に相当する外縁部分を包み込む状態でフィルターの収納空間を区画形成する境界線に沿って外側縫合線よりも内方に変位した位置を開口縁部から垂部の基端部分まで縫合するようにしてある請求項９記載のコーヒー抽出用布製フィルターの製作方法。
【発明の詳細な説明】
【技術分野】
【０００１】
本発明は、フィルター内のコーヒー粉に対して注湯して抽出液を滲出濾過させて抽出するための半球又はそれに類似する形状の袋状に形成されたコーヒー抽出用布製フィルター、及び、そのコーヒー抽出用布製フィルターの製作方法に関する。
【背景技術】
【０００２】
従来のコーヒー抽出用布製フィルターは、単数又は複数の布地片を縫合して円錐や角錐、半球など形状の袋状に形成していただけであった。
【発明の開示】
【発明が解決しようとする課題】
【０００３】
コーヒーの香味を最大限に引き出す最高のコーヒー抽出方法としてコーヒー抽出用布製フィルターを用いた方法（ネルドリップ方式）が知られているが、この方法は、コーヒー粉に対する注湯や使用前及び使用後におけるフィルターの取り扱いが難しいだけでなく、加えて、従来のフィルター２１では、コーヒー粉を収容したフィルター２１に注湯すると、抽出液がフィルター２１の外面に滲出し、フィルター２１からの滲出量が少なくなるほど、図７に示すように、フィルター２１の下部における多くの箇所から滴下してしまい、そのため、滴下するコーヒーを受ける容器２９の受け口２９Ａを大きくしなければならず、布製フィルター２１を用いる抽出設備の大型化を招来していた。
【０００４】
また、滴下した抽出液と空気との接触度合が大きいことから、コーヒーが著しく温度低下すると共にその酸化速度も促進してしまい、抽出したコーヒーの香味が短時間で大幅に低下してしまう恐れもあった。
【０００５】
この実情に鑑み、本発明の主たる課題は、合理的な改良を以って、上記の問題を効果的に解消する点にある。
【課題を解決するための手段】
【０００６】
〔１〕本発明の第１特徴構成は、コーヒー抽出用布製フィルターに係り、その特徴は、
半球又はそれに類似する形状の袋状に形成されたコーヒー抽出用の布製フィルターの下部に、コーヒー抽出時にフィルターから滲出した抽出液を最下端位置に誘導案内させて流下又は滴下させるための突起部を、フィルターの一部を突出させるように縫製して形成している点にある。
【０００７】
つまり、この構成であれば、フィルター下部の最下端位置に突起部を形成することで、抽出液の滲出量に関わらず、突起部によりフィルターから滲出した抽出液をフィルター下部の最下端位置に誘導案内させて流下又は滴下させることができるので、突起部から流下又は滴下する抽出液を受ける容器の受け口を突起部の下方位置に設けるだけで済み、よって、容器の受け口を小さくすることができて、布製フィルターを用いてコーヒーを抽出する設備をコンパクト化することができる。
【０００８】
また、抽出液をフィルター下部の最下端位置から流下又は滴下させるため、フィルターと容器との距離が最短となり、これによって、突起部から流下又は滴下した抽出液と空気の接触時間も最短となり、それら抽出液と空気との接触度合を極力小さくすることができるので、抽出したコーヒーの著しい温度低下や酸化を抑えることができて、淹れたてのコーヒーの香味を比較的長い時間維持することができる。
【０００９】
更に、突起部がフィルターの一部を突出させるように縫製するといった簡素な構造であるので、このような構成のフィルターを製作するにおいても、従来の布製フィルターを製作するのとほぼ同コストで製作することができる。
【００１０】
要するに、第１特徴構成であれば、製作コストを高騰化させることなくフィルター下部の最下端位置に突起部を形成し、この突起部によって、コーヒーの香味を最大限に引き出すネルドリップ方式のコーヒー抽出設備をコンパクト化することができるとともに、コーヒーの香味を比較的長時間維持することができる。
【００１１】
〔２〕本発明の第２特徴構成は、第１特徴構成の実施において好適な構成であり、その特徴は、
前記突起部が、フィルターの一部を積層した状態でそれの周縁を縫製して形成されているとともに、
前記フィルター下部と突起部との境界箇所が、フィルター内のコーヒー粉の突起部への侵入を阻止する状態に縫製されている点にある。
【００１２】
つまり、フィルターの突起部の内部にコーヒー粉が充填された状態になってしてしまうと、フィルターから滲出した抽出液が突起部の内部に浸入することができず、これによって、抽出液が突起部に確実に誘導案内されずに滴下してしまう恐れがある。
【００１３】
しかし、この構成であれば、フィルターの下部と突起部との境界箇所が縫製されて、コーヒー粉の突起部への侵入を阻止する状態になっているので、フィルター内のコーヒー粉が突起部に侵入して充填状態となることがなく、これによって、確実に抽出液を突起部に誘導案内させてその突起部からそれの下方に位置する容器に対して流下又は滴下させることができる。
【００１４】
また、コーヒー粉の残滓が突起部内に付着することもないので、使用後のフィルターの洗浄も容易となり、これによって、使用回数を重ねてもコーヒー粉残滓による抽出するコーヒーの品質低下を抑制することができる。
【００１５】
〔３〕本発明の第３特徴構成は、第１又は第２特徴構成の実施において好適な構成であり、その特徴は、
前記フィルターが、それの周方向で複数に分割された布地片から構成されているとともに、
各布地片の下部には、前記突起部を形成するための垂部が形成されている点にある。
【００１６】
つまり、突起部を形成するための垂部が各布地片に形成されているので、各布地片に垂部が形成されていないと、フィルター下部の最下端位置を突出させて突起部を形成しなければならず、フィルターの形状を変形させることになっていたが、この構成であれば、フィルターの最下部に突起部を、フィルターの形状を変形させることなく容易に形成することができる。
【００１７】
〔４〕本発明の第４特徴構成は、第３特徴構成の特徴構成の実施において好適な構成であり、その特徴は、
前記フィルターにおける複数の布地片どうしの縫合部に、フィルターから滲出した抽出液を前記突起部に導くための中空状の通路が形成されている点にある。
【００１８】
つまり、この構成であれば、フィルターから滲出した抽出液を、突起部と連通している中空状の通路を通じて効率よく突起部に誘導案内させることができるので、フィルターの外面に滲出した抽出液をより短時間で容器に流下させることができ、また、通路を通過することにより、抽出液と空気との接触度合を小さくすることができて、よって、抽出されたコーヒーの温度低下及び酸化を一層抑制することができる。
【００１９】
〔５〕本発明の第５特徴構成は、第１〜第４特徴構成のいずれか１つの特徴構成の実施において好適な構成であり、その特徴は、
前記フィルターの開口における最大径が、フィルターの最大径よりも小となるように形成されている点にある。
【００２０】
つまり、この構成であれば、フィルター内においてコーヒー粉がフィルターに包まれるように収容されるので、コーヒー粉を蒸らすための最初の注湯においてコーヒー粉を包むように蒸らすことができて蒸らし効果を向上させることができ、これによって、抽出されたコーヒーを一層美味しいものにすることができる。
【００２１】
〔６〕本発明の第６特徴構成は、第１〜第５特徴構成のいずれか１つの特徴構成の実施において好適な構成であり、その特徴は、
前記フィルターに、取り外し又は切断分離可能な複数の表示体を備えた抽出回数管理手段が設けられている点にある。
【００２２】
コーヒー抽出用布製フィルターは洗浄して繰り返し使用するが、抽出回数を重ねるごとに、コーヒー粉の微粒子がフィルターの布目に詰まってろ過能力が低下して、抽出液がフィルターから滲出し難くなり、コーヒーの抽出速度の減速化することでコーヒーの香味を最大限に引き出すことが困難になるため、フィルター使用回数は約３０回〜５０回を限度としてある。
【００２３】
つまり、この構成であれば、フィルターに取り外し又は切断分離可能な複数の表示体を備えた抽出回数管理手段が設けられているので、抽出する毎に表示体を取り外し又は切断分離することで、コーヒー抽出用布フィルターを規定の回数以上使用することを確実に防止することができ、これによって、抽出するコーヒーの香味の安定化を図ることができる。
【００２４】
また、フィルター毎に抽出回数を管理することができるので、例えば、表等に抽出回数を記したりする方法に比べ、他のフィルターとの混合がなく、フィルター管理において有利にすることができる。
【００２５】
〔７〕本発明の第７特徴構成は、第１〜第６特徴構成のいずれか１つの特徴構成の実施において好適な構成であり、その特徴は、
前記フィルターに、フィルターホルダーの輪状装着部に対して巻き付け装着するときの巻き付け代を表示する装着代表示手段が設けられている点にある。
【００２６】
つまり、この構成であれば、フィルターをフィルターホルダーの輪状装着部に巻き付けるのに、容易に、確実に、かつ、迅速にフィルターをフィルターホルダーに装着することができる。
【００２７】
〔８〕本発明の第８特徴構成は、第１〜第７特徴構成のいずれか１つの特徴構成に係るコーヒー抽出用布製フィルターの製作方法に係り、その特徴は、
前記フィルターから滲出した抽出液を最下端位置に誘導案内させて流下又は滴下させるための突起部を形成するために、下部に垂部が形成されている複数枚の布地片を半球又はそれに類似する形状の袋状に縫製する工程において、
隣接する両布地片の重合部分を、フィルターの外面輪郭線に沿う開口縁部から垂部の先端部分までに至る外側縫合線と、フィルターの収納空間を区画形成する境界線に沿う外側縫合線よりも内方に変位した位置を開口縁部から垂部の基端部分までに至る内側縫合線とに沿って縫合することにより、外側縫合線と内側縫合線との間に、フィルターから滲出した抽出液を突起部に導くための中空状の通路を形成する点にある。
【００２８】
つまり、この方法であれば、フィルターを構成する複数の布地片の重合部分に、フィルターから滲出した抽出液を突起部に導くための中空状の通路を容易に形成することができて、これによって、フィルターから滲出した抽出液を、突起部と連通している中空状の通路を通じて効率よく突起部に誘導案内させることができて、フィルターの外面に滲出した抽出液をより短時間で容器に流下させることができ、また、通路を通過することにより、抽出液と空気との接触度合を小さくすることができて、抽出されたコーヒーの温度低下及び酸化を一層抑制することができるフィルターにすることができる。
【００２９】
〔９〕本発明の第９特徴構成は、第８特徴構成の実施において好適な構成であり、その特徴は、
前記外側縫合線に沿っての第１縫製工程には、開口縁部から垂部の先端部分まで縫い抜け縫合する工程が備えられているとともに、
前記内側縫合線に沿っての第２縫製工程には、一方の内側縫合線の開口縁部から垂部の基端部分を通過して他方の内側縫合線の開口縁部にまで連続的に縫合する工程が備えられている点にある。
【００３０】
つまり、この方法であれば、第２縫製工程における一方の内側縫合線の開口縁部から垂部の基端部分を通過して他方の内側縫合線の開口縁部にまで連続的に縫合する工程により、フィルター下部と突起部との境界箇所をフィルター内のコーヒー粉の突起部への侵入を阻止する状態に縫製することができ、これによって、確実に抽出液を突起部に誘導案内させてその突起部からそれの下方に位置する容器に対して流下又は滴下させることができるとともに、コーヒー粉の残滓が突起部内に付着することもないので、使用後のフィルターの洗浄も容易となり、これによって、使用回数を重ねてもコーヒー粉残滓による抽出するコーヒーの品質低下を抑制することができるフィルターにすることができる。
【００３１】
〔１０〕本発明の第１０特徴構成は、第９特徴構成の実施において好適な構成であり、その特徴は、
前記外側縫合線に沿っての第１縫製工程では、両布地片の表面どうしを重ね合わせた重合部分をそれの外縁から設定縫い代を空けた状態でフィルターの外面輪郭線に沿って開口縁部から垂部の先端部分まで縫合し、
前記内側縫合線に沿っての第２縫製工程では、前記第１縫製工程で縫合された両布地片をそれの表面が外面側となる状態に裏返した後、設定縫い代に相当する外延部分を包み込む状態でフィルターの収納空間を区画形成する境界線に沿って外側縫合線よりも内方に変位した位置を開口縁部から垂部の基端部分まで縫合するようにしてある点にある。
【００３２】
つまり、この方法であれば、フィルターの隣接する布地片どうしの重合部分に通路を形成するのに、第１縫製工程では両布地片の表面どうしを重ね合わせた重合部分を外側縫合線に沿って縫合し、第２縫製工程では第１縫製工程後に裏返して内側縫合線に沿って縫合することで、両布地片の重合部分を袋縫いした形態で形成することができるので、両布地片の外縁部分を通路内に収容した状態で体裁よくすることができるとともに、両布地片の外縁部分が遊端縁として表面に露呈しないので、抽出液が外縁部分に沿って流れ突起部にまで誘導される前に滴下してしまうことを確実に防止することができ、これによって、抽出液を確実に通路を通じて突起部に誘導案内させることができる。
【００３３】
そして、第２縫製工程により、フィルター下部と突起部との境界箇所をフィルター内のコーヒー粉の突起部への侵入を阻止する状態に縫製することができ、これによって、より一層確実に抽出液を突起部に誘導案内させてその突起部からそれの下方に位置する容器に対して流下又は滴下させることができるとともに、コーヒー粉の残滓が突起部内に付着することもないので、使用後のフィルターの洗浄も容易となり、これによって、使用回数を重ねてもコーヒー粉残滓による抽出するコーヒーの品質低下を抑制することができるフィルターにすることができる。
【発明を実施するための最良の形態】
【００３４】
〔第１実施形態〕
図１〜図４に示す本発明の第１実施形態であるコーヒー抽出用布製フィルター１は、片面起毛のフランネル地からなる４枚の流線形の布地片２を縫製して、上方開口のほぼ半球状の袋状に形成されており、起毛面２ａを内面側（裏面側）、無毛面２ｂを外面側（表面側）にして、フィルター１の開口Ｍの周縁部１ＡをフィルターホルダーＨの輪状装着部ｈに巻き付けて装着した後、フィルター１にコーヒー粉を投入し、そのコーヒー粉に対して複数回に分けて注湯することで、コーヒー（抽出液）を抽出する。
【００３５】
４枚の流線形の布地片２それぞれにおける先端（下部）には、垂部２Ａが突出形成されており、布地片２を縫製してほぼ半球状の袋状のフィルター１を形成した際に、これら垂部２Ａが集合して縫製され、フィルター１の下部１Ｂに、コーヒー抽出時にフィルター１から滲出したコーヒー（抽出液）を最下端位置に誘導案内して流下させるための突起部１Ｃを形成する。
【００３６】
また、それら各布地片２の開口縁部２Ｂのやや下方位置（つまり、フィルター１の開口Ｍの下方位置）の内側には、フィルターホルダーＨに対して巻き付け装着するための巻き付け代を表示する装着代表示手段である装着ライン３を縫って形成しており、この装着ライン３に使用する糸の色を変更することで、装着ライン３は装着代表示手段だけでなく、フィルター１に投入する使用対象のコーヒー粉の種類を判別表示するための判別手段Ｒにも兼用している。
【００３７】
４枚の布地片２は、ほぼ半球形状の１／４に相当する展開型に縫製代を加えた輪郭形状に裁断されているとともに、それの左右の側縁のうち、上下中央位置によりも少し上方に偏倚した部位の左右幅Ｗ２が最大に形成され、それよりも上方に位置する部分を次第に絞り形成して、開口縁部２Ｂにおける左右幅Ｗ１がフィルター１の最大左右幅Ｗ２よりも小となるように構成されている。
【００３８】
また、これら４枚の各布地片２は、その開口縁部２Ｂにおいて起毛面２ａを小幅に折り返して縫合し、フィルター１の開口周縁部１Ａを補強している。
【００３９】
４枚の布地片２を２枚１組とし、まず、布地片２の起毛面２ａを外面側（表面側）にして隣接する２枚の布地片２を合致させて重ね合わせた状態（つまり、２枚の布地片２を合致させて、それらの無毛面２ｂどうしを重ね合わせた状態）で、フィルター１の外面輪郭形状に沿って開口縁部２Ｂから垂部２Ａの先端部分２ｐに至る外側縫合線４Ａをそれら布地片２の外縁Ｐから設定縫い代Ｌ（例えば、５ｍｍ）を空けた状態で設定し、その外側縫合線４Ａに沿って縫い抜け縫合して４枚の布地片２を２つの縫合布地５にする。
【００４０】
そして、２つの縫合布地５のそれぞれにおいて、無毛面２ｂを外面側となる状態に裏返した後、布地片２どうしの重合部分における外側縫合線４Ａよりも内方に変位した位置（つまり、外側縫合線４Ａから設定縫い代Ｌに相当する寸法だけ内方に入り込んだ位置）において、開口縁部２Ｂから垂部２Ａの基端部分２ｑまでに至る内側縫合線４Ｂに沿って布地片２の設定縫い代Ｌに相当する外縁部分を包み込み、かつ、フィルター１の収納空間を区画形成するための境界線を現出する状態で縫合し、その垂部２Ａの基端部分２ｑにおいて留縫いを施して、縫合布地５を完成させる。
【００４１】
これによって、縫合布地５における布地片２どうしの重合部分に中空状の通路６を設けることができるとともに、両布地片２の外縁部分を通路６内に収容した状態にすることができる。
【００４２】
次に、完成した縫合布地５どうしを縫合してほぼ半球状のフィルター１を製作するのに、２つの縫合布地５を、再び起毛面２ａを外面側となる状態に裏返して、それら縫合布地５を合致させて重ね合わせた状態（つまり、２つの縫合布地５を合致させて、それらの無毛面２ｂどうしを重ね合わせた状態）で、フィルター１の外面輪郭形状に沿って開口縁部２Ｂから垂部２Ａの先端部分２ｐに至る外側縫合線４Ａをそれら縫合布地５の外縁Ｐから設定縫い代Ｌを空けた状態で設定し、その外側縫合線４Ａに沿って縫い抜け縫合して２つの縫合布地５を１つのほぼ半球状の袋体７にし、この袋体７の下部の最下端位置には、各布地片２の垂部２Ａを縫合した突起部１Ｃが突出形成されている。
【００４３】
そして、袋体７を無毛面２ｂが外面側となるように裏返し、整形棒８を用いて袋体７の最下端位置に形成されている突起部１Ｃを外面側に押し出して、突起部１Ｃを整形する。
【００４４】
最後に、その袋体７の無毛面２ｂの側において、縫合布地５どうしの重合部分における外側縫合線４Ａよりも内方に変位した位置（つまり、外側縫合線４Ａから設定縫い代Ｌに相当する寸法だけ内方に入り込んだ位置）において、設定縫い代Ｌに相当する外縁部分を包み込み、かつ、フィルター１の収納空間を区画形成するための境界線を現出する状態で一方の内側縫合線４Ｂの開口縁部２Ｂから垂部２Ａの基端部分２ｑを通過して他方の内側縫合線４Ｂの開口縁部２Ｂまで縫合布地５の外縁部分を包み込む状態で連続的に縫合し、これによって、袋体７における縫合布地５どうしの重合部分に中空状の通路６を設けることができるとともに、縫合布地５を構成する各布地片２の外縁Ｐを通路６内に収容した状態にすることができ、これをもってフィルター１を完成する。
【００４５】
このような縫製工程を経ることで、完成したフィルター１の下部１Ｂの最下端位置（すなわち、半球状のフィルター１の先端）には、各布地片２の垂部２Ａが集合して縫合された突起部１Ｃがフィルター１に収容されるコーヒー粉が突起部１Ｃ内に侵入することを阻止することができるとともに、突起部１Ｃを柔軟性のある状態に形成することができる。
【００４６】
更に、各布地片２どうしの縫合部分に突起部１Ｃと連通する通路６を形成して、フィルター１から滲出したコーヒー（抽出液）を効率よく突起部１Ｃに誘導案内させる。
【００４７】
そして、このように突起部１Ｃを形成することで、コーヒー抽出時においてフィルター１からのコーヒー滲出量（勢い）が減少しても、滲出したコーヒー（抽出液）は確実に突起部１Ｃに誘導案内されてから容器９に流下するので、容器９の受け口９Ａを小さくすることができて、このような布製フィルター１を用いてコーヒーを抽出する設備をコンパクト化することができる。
【００４８】
また、突起部１Ｃがフィルター下部１Ｂの最下端位置に形成されているので、突起部１Ｃから容器９の受け口９Ａまでの距離を短くすることができ、よって、コーヒー（抽出液）と空気との接触度合を極力低減することができ、コーヒーの香味をより長時間維持することができる。
【００４９】
各布地片２は、その開口縁部２Ｂにおける左右幅Ｗ１がそれの最大左右幅Ｗ２よりも小に形成されているため、完成したフィルター１においてもフィルター１の最大開口径Ｄ１がフィルター１のフィルター下部１Ｂの最大径Ｄ２よりも小となり、これによって、コーヒー粉をフィルター１で包むように収容することができ、初回の注湯におけるコーヒー粉に対する蒸らし効果を向上させる。
【００５０】
フィルター１の開口周縁部１Ａには、抽出回数管理手段である合計３０本のタグ（表示体）１０が付設されており、コーヒー抽出後にフィルター１を洗浄する度にタグ１０を１本ずつ取り外し又は切断分離し、全てのタグ１０が取り外された時点でフィルター１を廃棄する。
【００５１】
なお、起毛面２ａを内面側（裏面側）にすることで、コーヒー抽出時において起毛繊維がコーヒー粉の微粒子を捕捉するため、コーヒー抽出時におけるコーヒー粉の微粒子によるフィルター１の目詰まりを抑制し、理想的な香味のコーヒーの抽出ができるが、起毛繊維に捕捉されたコーヒー粉の微粒子は洗浄しても除去するのが困難で、抽出回数を重ねる毎にコーヒー粉の微粒子が起毛部分に蓄積されるため、フィルター１の抽出可能回数が減少してしまうといった問題もあるので、起毛面２ａを外側にしてコーヒーを抽出してもよい。
【００５２】
〔第２実施形態〕
図５及び図６に示す本発明の第２実施形態であるコーヒー抽出用布製フィルター１は、片面起毛のフランネル地からなる３枚の流線形の布地片２を縫製してほぼ半球状の袋状に形成されている。
【００５３】
３枚の布地片２を、布地片２の起毛面２ａを外面側（表面側）にして３枚の布地片２それぞれの外縁部分において重ね合わせた状態（つまり、３枚の布地片２の無毛面２ｂどうしを合致させて重ね合わせた状態）で、フィルター１の外面輪郭形状に沿って開口縁部２Ｂから垂部２Ａの先端部分２ｐまでに至る外側縫合線４Ａをそれら布地片２の外縁Ｐから設定縫い代Ｌ（例えば、５ｍｍ）を空けた状態で設定し、その外側縫合線４Ａ沿って縫い抜け縫合してほぼ半球状の袋体７にし、この袋体７の下部の最下端位置には、各布地片２の垂部２Ａを縫合した突起部１Ｃが突出形成されている。
【００５４】
そして、袋体７を無毛面２ｂが外面側となるように裏返し、整形棒８を用いて袋体７の最下端位置に形成されている突起部１Ｃを外面側に押し出して、突起部１Ｃを整形する。
【００５５】
次に、袋体７の無毛面２ｂ側において、外側縫合線４Ａに沿って縫い抜け縫合した３箇所のうち１つについては、外側縫合線４Ａの内方に変位した位置（つまり、外側縫合線４Ａから設定縫い代Ｌに相当する寸法だけ内方に入り込んだ位置）を開口縁部２Ｂから垂部２Ａの基端部分２ｑまでに至る内側縫合線４Ｂに沿って布地片２の設定縫い代Ｌに相当する外縁部分を包み込む状態で縫合し、その垂部２Ａの基端部分２ｑで留縫いをする。
【００５６】
そして、残り２つについては、外側縫合線４Ａの内方に変位した位置（つまり、外側縫合線４Ａから設定縫い代Ｌに相当する寸法だけ内方に入り込んだ位置）を、布地片２の設定縫い代Ｌに相当する外縁部分を包み込み、かつ、フィルター１の収納空間を区画形成するための境界線を現出する状態で、一方の内側縫合線４Ｂの開口縁部２Ｂから垂部２Ａの基端部分２ｑを通過して他方の内側縫合線４Ｂの開口縁部２Ｂにまで連続的に縫合し、これにより、フィルター１を構成する各布地片２どうしの重合部分に中空状の通路６を設けることができるとともに、各布地片２の外縁Ｐを通路６内に収容した状態にすることができ、これをもって、フィルター１を完成する。
【００５７】
このような縫製工程を経ることで、完成したフィルター１の下部１Ｂの最下端位置（すなわち、半球状のフィルター１の先端）には、各布地片２の垂部２Ａが集合して縫合された突起部１Ｃがフィルター１に収容されるコーヒー粉が突起部１Ｃ内に侵入することを阻止することができるとともに、突起部１Ｃを柔軟性のある状態に形成することができる。
【００５８】
なお、その他の構成は、前記第１実施形態と同一であり、第１実施形態で記載した構成部分と同一構成又は同一機能を有する構成部分には同一番号を付記してそれの説明を省略する。
【００５９】
〔別実施形態〕
次に別実施形態を列記する。
【００６０】
第１実施形態では４枚の布地片２からフィルター１を構成し、第２実施形態では３枚の布地片２からフィルター１を構成していたが、フィルター１は単数枚又は４枚以上の複数枚の布地片から構成されてもよい。
【００６１】
上記第１実施形態におけるフィルターの製作方法では、まず、４枚の布地片２を通路６を備えた２組の縫合布地５に形成した後、それら縫合布地５を縫合して通路６を形成しフィルター１を完成させる縫製工程を採用し、第２実施形態におけるフィルターの製作方法では、３枚の布地片２を縫合して袋体７にした後、通路６を形成してフィルター１を完成させる縫製工程を採用したが、第１実施形態において、４枚の布地片２を縫合して袋体７にした後、通路６を形成してフィルター１を完成させる縫製工程を採用してもよく、第２実施形態においては３枚の布地片２のうち２枚の布地片２をまず縫合して通路６を備えた縫合布地５を形成した後、その縫合布地５と残り１枚の布地片２とを縫製して通路６を形成しフィルター１を完成させる縫製工程を採用してもよい。
【００６２】
上記第１及び第２実施形態では、完成したフィルター１の形状がほぼ半球状に形成されているが、半球状又はこれに類似する形状であればフィルター１の形状はこの限りではない。
【００６３】
外側縫合線４Ａの設定縫い代Ｌは任意の幅であってよい。
【図面の簡単な説明】
【００６４】
【図１】本発明のコーヒー抽出用布製フィルターの第１実施形態を示す斜視図
【図２】第１実施形態のフィルターによるコーヒー抽出状態を示す斜視図
【図３】布地片の表裏平面図
【図４】第１実施形態のフィルターの縫製方法を示す図
【図５】本発明のコーヒー抽出用布製フィルターの第２実施形態を示す斜視図
【図６】第２実施形態のフィルターの縫製方法を示す図
【図７】従来のコーヒー抽出用布製フィルターによるコーヒー抽出状態を示す斜視図
【符号の説明】
【００６５】
１        コーヒー抽出用布製フィルター
１Ｂ      フィルター下部
１Ｃ      突起部
２        布地片
２Ａ      垂部
２Ｂ      開口縁部
２ｐ      垂部の先端部分
２ｑ      垂部の基端部分
３        装着代表示手段
４Ａ      外側縫合線
４Ｂ      内側縫合線
６        通路
１０      抽出回数管理手段（表示体）
Ｄ１      開口最大径
Ｄ２      フィルター最大径
Ｈ        フィルターホルダー
ｈ        輪状装着部
Ｍ        開口
【図１】
2006192061.tif 000003
【図２】
2006192061.tif 000004
【図３】
2006192061.tif 000005
【図４】
2006192061.tif 000006
【図５】
2006192061.tif 000007
【図６】
2006192061.tif 000008
【図７】
2006192061.tif 000009